(57)【特許請求の範囲】
【請求項１】
フィラメント部、当該フィラメント部の一端部に設けられた挿通部及び当該フィラメント部の他端部に設けられた当該挿通部を不可逆的に挿通保持せしめるソケット部とを有するループピンを適宜の商品に係止させるための結合装置であって、当該複数個のループピン並列状に配列されて固定されて形成されているループピンシートを当該結合装置に搭載し、当該装置の本体部に設けられている適宜の駆動手段の作動に応答して移動する第１の打ち出しピンにより当該ループピンのソケット部を移動させると共に、当該駆動手段の作動に応答して移動する第２の打ち出しピンにより当該ループピンの挿通部を移動させることによって、当該装置の本体部の前方部に於いて、当該ソケット部と当該挿通部とを相互に係合させる様に構成されているループピン結合装置であって、且つ、当該ループピン結合装置の本体部の一部表面に於いて、当該ループピン結合装置の当該表面に湾曲状に搭載されている当該ループピンシートを構成する各々のループピンの湾曲状に形成された各フィラメント部の一部に、当該湾曲状に形成された各フィラメント部の外方部から当接し、且つ、当該個々の湾曲状に形成された各フィラメント部の湾曲状形状を、当該ループピン結合装置の当該表面と平行する方向に変位させる押圧力を付与する押圧部材が配置されている事を特徴とするループピン結合装置。
【請求項２】
当該押圧部材は、当該ループピン結合装置本体部の長手方向軸に対して交差する方向のバイアス力を当該各フィラメント部に印加する機能を有している事を特徴とする請求項１に記載のループピン結合装置。
【請求項３】
当該押圧部材は、少なくともその一部が、当該ループピン結合装置に於ける当該ループピンシートが搭載される本体部の表面上であって、且つ当該ループピンシートを構成する各フィラメント部が本来湾曲部を形成する予定位置内部に配置されている事を特徴とする請求項１又は２に記載のループピン結合装置。
【請求項４】
当該押圧部材は、当該ループピンシートを構成する各フィラメント部の一部と接触して当該各フィラメント部を所定の方向に変位させる機能を有し、且つ当該押圧部材の当該フィラメント部との当接面が当該ループピン結合装置本体部の長手方向軸に対して所定の角度をもって交差している平面部を有している事を特徴とする請求項１乃至３の何れかに記載のループピン結合装置。
【請求項５】
当該押圧部材における当該平面部は、当該ループピンシートを構成する各フィラメント部との接触面積を低下させる機構が設けられている事を特徴とする請求項１乃至４の何れかに記載のループピン結合装置。
【請求項６】
当該押圧部材の当該平面部に設けられている当該フィラメント部との接触面積を低下させる機構は、凹部、凸部、溝部、畦部、畝部等を含んで構成された面であるか、梨地状或いは微細な凹凸状模様が形成されている面である事を特徴とする請求項５に記載のループピン結合装置。
【請求項７】
当該押圧部材は、当該ループピンシートを構成する各フィラメント部と接触して当該各フィラメント部を所定の方向に変位させる機能を有し、且つ当該押圧部材は当該各フィラメント部の一部と点接触するような構成有するものである事を特徴とする請求項１乃至３の何れかに記載のループピン結合装置。
【請求項８】
当該ループピンシートは、当該ループピン結合装置上に搭載された際に、平坦状面を形成している当該ループピンシートの各フィラメント部分が折り曲げられて、湾曲状を呈する様に搭載されている事を特徴とする請求項１乃至７の何れかに記載のループピン結合装置。
【請求項９】
当該ループピンシートは、当該ループピン結合装置上に搭載される以前に予め、平坦状面を形成している当該ループピンシートの各フィラメント部分を折り曲げて湾曲状を呈する様に構成されているものを搭載したものである事を特徴とする請求項１乃至８の何れかに記載のループピン結合装置。
【請求項１０】
当該ループピンシートは、当該ループピン結合装置上に搭載される以前に予め、平坦状面を形成している当該ループピンシートの各フィラメント部分を折り曲げて、当該各フィラメント部の当該ソケット部と当該挿通部が相互に接近した状態で固定され、且つ当該フィラメント部分が湾曲状を呈する様に構成されているものを搭載したものである事を特徴とする請求項１乃至９の何れかに記載のループピン結合装置。
【請求項１１】
当該ループピンシートは、当該ループピンシートを構成する複数本の当該フィラメント部分を相互に接続する２本の接続バー部同士が相互に接近して配置され、かつ当該双方の接続バー部は、相互に当該接続バー部の長手軸方向に位相がずれた状態で固定され、且つ当該フィラメント部分が湾曲状を呈する様に構成されているものを搭載したものである事を特徴とする請求項１０に記載のループピン結合装置
【請求項１２】
当該ループピン結合装置の上端表面に設けられている当該ループピンシートを構成する複数本の当該フィラメント部分を相互に接続する２本の接続バー部を個別に挿入する２個の接続バー部挿入スリット部が、同一の平面上に設けられている事を特徴とする請求項１乃至１１の何れかに記載のループピン結合装置。
【請求項１３】
当該ループピン結合装置の上端表面に設けられている当該ループピンシートを構成する複数本の当該フィラメント部分を相互に接続する２本の接続バー部を個別に挿入する２個の接続バー部挿入スリット部が、互いに高さを異にする個別の平面上にそれぞれ設けられている事を特徴とする請求項１乃至１１の何れかに記載のループピン結合装置。
【請求項１４】
当該駆動手段は、当該ループピン結合装置に設けられたグリップ部と当該グリップ部に回動可能に軸支されたグリップレバーとで構成されている事を特徴とする請求項１乃至１３の何れかに記載のループピン結合装置。
【請求項１５】
当該押圧部材に於ける少なくとも当該ループピンシートを構成する各フィラメント部と接触する当該当接面の平面部或いは当該各フィラメント部と点接触する当該点接触部は、当該押圧部材と当該ループピン結合装置の上部表面部との接合部位から離反する方向に沿って当該ループピン結合装置の外方に向けて、傾斜若しくは湾曲状形成されている事を特徴とする請求項１乃至１４の何れかに記載のループピン結合装置。
【請求項１６】
当該押圧部材は、当該ループピン結合装置の当該上部表面部に着脱自在に取り付けられる様に構成されている事を特徴とする請求項１乃至１５の何れかに記載のループピン結合装置。
【請求項１７】
当該押圧部材は、当該ループピン結合装置の当該上部表面部に当該上部表面部と一体的に形成されている事を特徴とする請求項１乃至１６の何れかに記載のループピン結合装置。
【請求項１８】
当該押圧部材は、当該ループピン結合装置の当該上部表面部に於いて、当該ループピン結合装置の本体部の長手方向軸に沿った方向に変位可能に構成されている事を特徴とする請求項１乃至１８の何れかに記載のループピン結合装置。
【請求項１９】
当該押圧部材の少なくとも一部の端縁部に丸みが設けられている事を特徴とする請求項１乃至１８の何れかに記載のループピン結合装置。
【請求項２０】
当該押圧部材の少なくとも一部の端縁部には、当該端縁部から当該押圧部材の内部に向けてその厚みが増加する様なテーパー部が形成されている事を特徴とする請求項１乃至１７の何れかに記載のループピン結合装置。
【請求項２１】
当該押圧部材は、当該ループピン結合装置の当該上部表面部から少なくとも０．５ｃｍ突出している事を特徴とする請求項１乃至２０の何れかに記載のループピン結合装置。
【請求項２２】
当該押圧部材に於ける当該点接触部は、当該ループピン結合装置の当該本体部と一体的に形成されている角部で構成されている事を特徴とする請求項１３に記載のループピン結合装置。
【請求項２３】
当該押圧部材の上部表面部には当該角部に近接する部位に湾曲状の周縁部を有する当該フィラメント案内部が設けられている事を特徴とする請求項２２に記載のループピン結合装置。
【請求項２４】
当該押圧部材における当該角部の下端部は、当該第２の打ち出しピンが摺動する平面に近接した位置まで延展せしめられている事を特徴とする請求項２２又は２３に記載のループピン結合装置。
【請求項２５】
当該角部の下端部の近傍には、当該角部と接触した後の当該フィラメント部が当該第２の打ち出しピンが摺動する平面と略平行な状態で当該挿通部が打ち出される位置まで案内される様に案内する機能を有するガイド部が設けられている事を特徴とする請求項２２乃至２４の何れかに記載のループピン結合装置。
【請求項２６】
当該ガイド部は、テーパー状の面で構成されている事を特徴とする請求項２５に記載のループピン結合装置。
【請求項２７】
フィラメント部、当該フィラメント部の一端部に設けられた挿通部及び当該フィラメント部の他端部に設けられた当該挿通部を不可逆的に挿通保持せしめるソケット部とを有するループピンを適宜の商品に係止させるための結合装置であって、当該複数個のループピンが平面状に配列されて固定されて形成されているループピンシートを当該結合装置に搭載し、当該装置の本体部に設けられている適宜の駆動手段の作動に応答して移動する第１の打ち出しピンにより当該ループピンのソケット部を移動させると共に、当該駆動手段の作動に応答して移動する第２の打ち出しピンにより当該ループピンの挿通部を移動させることによって、当該装置の本体部の前方部に於いて、当該ソケット部と当該挿通部とを相互に係合させる様に構成されているループピン結合装置を使用して当該個々のループピンを打ち出すに際し、各々のループピンの湾曲状に形成された各フィラメント部の一部に、当該湾曲状に形成された各フィラメント部の外方部から、当該個々の湾曲状に形成された各フィラメント部の湾曲状形状を、当該ループピン結合装置の当該表面と平行する方向に変位させる押圧力を印加する事を特徴とするループピン結合方法。
【請求項２８】
当該押圧部材の押圧力は、当該ループピン結合装置本体部の長手方向軸に対して交差する方向の力を当該各フィラメント部に印加するものである事を特徴とする請求項２７に記載のループピン結合方法。
【請求項２９】
当該押圧部材の押圧力は、当該フィラメント部の面接触する部材或いは点接触する部材の何れかによって当該フィラメント部に印加する事を特徴とする請求項２７又は２８に記載のループピン結合方法。
【発明の詳細な説明】
【技術分野】
【０００１】
本発明は衣類品、靴下等を一つに束ねたり、商品にループピンを挿入してブランドラベル、値札、素材説明書、使用説明書等のタグを取付ける事ができるループピン結合装置に関するものである。
【背景技術】
【０００２】
一般に、ネクタイ、ワイシャツ等を含むあらゆる衣類品、日常小物、傘、サンダル、靴等を結束したり、当該商品にブランドラベル、値札等を効率的に取り付けるために、従来より種々のループピン及びループピン結合装置が用いられてきた。
【０００３】
かかる従来に於けるループピン１０の一具体例の構成を図１２乃至図１６を参照して説明する。
【０００４】
即ち、図１２にかかるループピン１０は、可撓性を有するフィラメント部１２と、当該フィラメント部１２の一方の端部に設けられた適宜の係合部１６を有する挿通部１３と、前記フィラメント部１２の他方の端部に設けられている前記挿通部１３を不可逆的に通す為の挿通穴１４を有すると共、当該挿通穴１４内に当該挿通部１３の当該係合部１６、１６’と係合し合う一対のブレード部１７、１７’とが設けられているソケット部１５が設けられているものであり、然も、上記した従来のループピン１０は、当該挿通部１３、当該ソケット部１５及び当該フィラメント部１２とが、通常ナイロン、ポリプロピレン、ポリエステル等の合成樹脂で一体成形されているのである。
【０００５】
そして、上記したループピン１０は、例えば、図１３に示す様に、任意の商品例えば鞄２００に於いて、当該フィラメント部１２を当該ラベル類４００に予め設けられた孔部４１０に通した後、例えば、把手３００と鞄本体２００との間に当該フィラメント部１２を挿通し当該ラベル類４００を保持する機能を有する当該ソケット部１５の孔部１４に当該挿通部１３を貫通させる事によって、所定のラベル類４００を、当該商品２００に係止させる様にしたものである。
【０００６】
処で、上記したループピン１０は、例えば、図１２に示す様に、当該ループピン１０単独で使用する場合もあるが、多くの場合は、作業効率を向上する為に、図１４に示す様なループピン１０を複数個並列状に配置したループピンシート６００を使用する。
【０００７】
即ち、図１４に示す個々のループピン１０が複数個、当該フィラメント部１２が互いに平行に隣接して配列されると共に、互いに近接して配置される当該複数個の挿通部１３若しくはその近傍部と当該複数個のソケット部１５若しくはその近傍部とは、それぞれ個別に設けられた接続バー部２４、２４’にそれぞれ接続せしめられている構造を有するものであって、当該挿通部近傍及びソケット部近傍部は、更に接続部１１、１１’によって相互に連結されている。
【０００８】
上記したループピンシート６００は、従来のループピンと同様に通常ナイロン、ポリプロピレン、ポリエステル等の合成樹脂で一体成形されている。
【０００９】
そして、当該ループピンシート６００は、図１５に示す様なループピン結合装置２０に搭載されて、操作レバー２２を操作する毎に当該ループピン１０が一本ずつ打ち出されて商品にラベル類を取り付ける事が出来る。
【００１０】
図１５は、当該ループピン６００を当該ループピン結合装置２０に搭載した状態を示したものである。
【００１１】
図１６は、ループピン結合装置２０の上部平面図であって、当該ループピン結合装置２０には左右に当該ループピンシート６００の接続バー２４、２４’が挿入される縦溝４０、４１が形成されている。
【００１２】
又当該縦溝４０には、例えば、ループピンシート６００を構成する個々のループピン１０に於けるソケット部１５を連結する接続バー２４’が挿入され、縦溝４１には、当該挿通部１３を連結する接続バー２４が挿入される。また、打ち出し装置であるループピン結合装置２０には、図示するレバー２２を操作によって駆動される第２の打ち出しピン４２が縦溝４１の側方に配設されており、挿通部１３を接続バー２４の連結部１１’から切り離して、筒状の中空針２１に沿って前方へ一個づつ押し出す。
【００１３】
一方、当該ソケット部１５は、湾曲状の中空ガイド部を構成する案内管４３に沿って適宜の押し出し手段、例えば第１の打ち出しピン或いはギヤ・ラック方式によるフレキシブルな押し出し手段２５等を利用して押し出され、その先端部４４に於いて上記した打ち出しピン４２によって中空針を構成する中空ガイド部２１を介して押し出される挿通部１３と嵌合する様に構成されている。
【００１４】
【特許文献１】特開平９−２０７９６２号
【特許文献２】特開平８−３１０５２０号
【特許文献３】特開平１０−２５８８１７号
【特許文献４】米国特許第５９０６０３９号
【特許文献５】特開２００１−３５４２１８号
【発明の開示】
【発明が解決しようとする課題】
【００１５】
然しながら、上記した従来のループピン結合装置２０に於いては、図１５に示す様に、当該ループピンシート６００を湾曲させた状態で当該ループピン結合装置２０に搭載し、当該ループピン１０を一個づつ連続的に打ち出して特定の商品にタグ、ラベル或いは値札等と共に閉鎖状ループを形成する様にして取り付けるに際して、当該個々のループピン１０に於ける当該フィラメント部１２の中央部で、当該フィラメント部が大きく湾曲している部分は、相互に隣接して配置されている他のループピン１０に於ける当該フィラメント部との間には当該各フィラメント部間を相互に接続したり固定するものが全く存在していないので、いわばフリー状態、つまり当該各フィラメント部の当該中央部は任意に変位変形する事が可能な状態に置かれている。
【００１６】
従って、係る状態に於いて、何らかの張力変動や何らかの異常な力が当該各フィラメント部１２に印加された場合には、当該自由変動状態にある当該中央湾曲部分を含む当該フィラメント部１２は、容易に変位或いは変形或いは位置ずれを発生し、その結果、当該フィラメント部が隣接する他のループピン１０の当該湾曲状を呈しているフィラメント部１２と接触したり絡み合う現象が発生することになる。
【００１７】
その結果、隣接する当該ループピンの当該フィラメント部１２同士が絡み合ったり接触固定された場合には、当該打ち出されたループピン１０は完全に当該ソケット部１５と当該挿通部１３とが嵌合されず、その後当該ループピン１０の結合が完了出来なかった事を知らずに次のループピン１０を打ち出すと当該中空ガイド２１或いは当該湾曲状ガイド部４３内でジャムリが発生し、その取り出し操作に多くの時間が必要で、作業効率を大幅に低下させると言う問題が発生する他、当該ループピン結合装置２０の故障の原因となり、ループピン結合装置２０が使用不能となると言う問題も発生している。
【００１８】
この事は、当該ループピン及び当該ループピン結合装置に対する信頼性の低下、不良品の発生、コスト上昇と言う弊害も発生している。
【００１９】
一方、当該ループピン結合装置２０に関しては、機構上の問題、デザイン的な問題、或いは操作上のバランスを取る問題等から、従来に於いても、図１５に示す様に、当該接続バー部２４、２４’が挿入される挿入スリット４１、４０が設けられている当該ループピン結合装置の上部前部の平面７０に対して、当該ループピン結合装置の当該上部後部の平面７１が、当該前部の平面７０の面より高い位置に形成される場合がある。
【００２０】
この様な構造を持つループピン結合装置２０に於いては、当該前部平面７０と当該後部平面７１との境界部分に側壁部７２が必然的に形成される事になる。
【００２１】
一方、ループピン１０は、それが添着される商品によって、当該フィラメント部１２の長さの異なるものが使用されるのが通常である。
【００２２】
その場合、当該ループピンシートを当該ループピン結合装置２０に搭載した際には、当該フィラメント部１２の両端部近傍に設けられている当該接続バー部の２４，２４’の位置と中央部の湾曲状部との間の距離Ｍが当然の事ながら当該ループピンの品種毎に変化する。
【００２３】
これに対し、当該ループピン結合装置２０は、その構造が特定されているので、当該接続バー部の挿入スリット４１、４０の位置と当該壁部７２との間の距離Ｌは特定の長さに固定されているので、当該ループピンシートを湾曲させて当該ループピン結合装置２０に搭載させた場合に於ける上記距離Ｍが、当該距離Ｌよりも短い場合には、問題は無いが、当該ループピンに於ける上記距離Ｍが当該距離Ｌよりも長い場合には、当該側壁部が邪魔となって搭載不可能となる。
【００２４】
然しながら、当該ループピン結合装置２０のユーザーとしては、特定のフィラメント部長さを有するループピンに適合したループピン結合装置をそれぞれ別々に購入して使用する事は、使用操作上に不便であり、又コストアップに繋がるという問題が有った。
【００２５】
そこで本発明の目的は、上記した従来の問題を解決し、当該ループピン結合装置２０に於いて当該ループピンシートにおける各ループピンが湾曲状態で当該ループピン結合装置に搭載されて打ち出し操作が実行される場合でも、当該各ループピンの当該フィラメント部が容易に且つ自由にその位置が変位、変動しない様な状態に保持することによって、上記したフィラメント間の絡み、接触固定等により発生するジャムリ現象を効果的に防止する事が可能な、ループピン結合装置を提供すると同時に、当該フィラメント部の長さが異なる異種のループピンでも同一のループピン結合装置を使用して問題なく打ち出し操作が実行出来るループピン結合装置を提供することにある。
【課題を解決するための手段】
【００２６】
本発明は上記した目的を達成するため、基本的に以下に記載されたような構成を採用するものである。すなわち本発明の第１の態様は、フィラメント部、当該フィラメント部の一端部に設けられた挿通部及び当該フィラメント部の他端部に設けられた当該挿通部を不可逆的に挿通保持せしめるソケット部とを有するループピンを適宜の商品に係止させるための結合装置であって、当該複数個のループピンが並列状に配列されて固定されて形成されているループピンシートを当該結合装置に搭載し、当該装置の本体部に設けられている適宜の駆動手段の作動に応答して移動する第１の打ち出しピンにより当該ループピンのソケット部を移動させると共に、当該駆動手段の作動に応答して移動する第２の打ち出しピンにより当該ループピンの挿通部を移動させることによって、当該装置の本体部の前方部に於いて、当該ソケット部と当該挿通部とを相互に係合させる様に構成されているループピン結合装置であって、且つ、当該ループピン結合装置の本体部の一部表面に於いて、当該ループピン結合装置の当該表面に湾曲状に搭載されている当該ループピンシートを構成する各々のループピンの湾曲状に形成された各フィラメント部の一部に、当該湾曲状に形成された各フィラメント部の外方部から当接し、且つ、当該個々の湾曲状に形成された各フィラメント部の湾曲状形状を、当該ループピン結合装置の当該表面と平行する方向に変位させる押圧力を付与する押圧部材が配置されている事を特徴とするループピン結合装置であり、又本発明に於ける第２の態様としては、フィラメント部、当該フィラメント部の一端部に設けられた挿通部及び当該フィラメント部の他端部に設けられた当該挿通部を不可逆的に挿通保持せしめるソケット部とを有するループピンを適宜の商品に係止させるための結合装置であって、当該複数個のループピンが平面状に配列されて固定されて形成されているループピンシートを当該結合装置に搭載し、当該装置の本体部に設けられている適宜の駆動手段の作動に応答して移動する第１の打ち出しピンにより当該ループピンのソケット部を移動させると共に、当該駆動手段の作動に応答して移動する第２の打ち出しピンにより当該ループピンの挿通部を移動させることによって、当該装置の本体部の前方部に於いて、当該ソケット部と当該挿通部とを相互に係合させる様に構成されているループピン結合装置を使用して当該個々のループピンを打ち出すに際し、各々のループピンの湾曲状に形成された各フィラメント部の一部に、当該湾曲状に形成された各フィラメント部の外方部から、当該個々の湾曲状に形成された各フィラメント部の湾曲状形状を、当該ループピン結合装置の当該表面と平行する方向に変位させる押圧力を印加する事を特徴とするループピン結合方法である。
【発明の効果】
【００２７】
本発明に係る当該ループピン結合装置は、上述した様な技術構成を採用しているので、当該ループピン結合装置２０に於いて当該ループピンシートにおける各ループピンが湾曲状態で当該ループピン結合装置に搭載されて打ち出し操作が実行される場合でも、当該各ループピンの当該フィラメント部が容易に且つ自由にその位置が変位、変動しない様な状態に保持することによって、上記したフィラメント間の絡み、接触固定等により発生するジャムリ現象を効果的に防止する事が可能なであると同時に、当該フィラメント部の長さが異なる異種のループピンでも同一のループピン結合装置を使用して問題なく打ち出し操作が実行出来るループピン結合装置が容易に得られると言う効果を有するものである。
【発明を実施するための最良の形態】
【００２８】
以下に、本発明にかかるループピン結合装置の具体例の構成を図面を参照しながら詳細に説明する。
【実施例】
【００２９】
即ち、図１及び図２は、本発明に係るループピン結合装置２０の一具体例の構成を示す図であって、図中、フィラメント部１２、当該フィラメント部１２の一端部に設けられた挿通部１３及び当該フィラメント部１２の他端部に設けられた当該挿通部１３を不可逆的に挿通保持せしめるソケット部１５とを有するループピン１０を適宜の商品に係止させるための結合装置２０であって、当該複数個のループピン１０が並列状に配列されて固定されて形成されているループピンシート６００を当該結合装置２０に搭載し、当該装置２０の本体部に設けられている適宜の駆動手段２２の作動に応答して移動する第１の打ち出しピンにより当該ループピン１０のソケット部１５を移動させると共に、当該駆動手段２２の作動に応答して移動する第２の打ち出しピンにより当該ループピン１０の挿通部１３を移動させることによって、当該装置２０の本体部３３の前方部に於いて、当該ソケット部１５と当該挿通部１３とを相互に係合させる様に構成されているループピン結合装置２０であって、且つ、当該ループピン結合装置２０の本体部３３の一部表面２７に於いて、当該ループピン結合装置２０の当該表面２７に湾曲状に搭載されている当該ループピンシート６００を構成する各々のループピン１０の湾曲状に形成された各フィラメント部１２に、当該フィラメント部１２が本来形成する予定の湾曲形状に変形を与える機能を有する押圧部材３０が配置されているループピン結合装置２０が示されている。
【００３０】
上記した本発明に於けるループピン結合装置２０の詳細な構成は、図１５に示す様に、上記した［特許文献１］乃至［特許文献４］に記載されている様な従来例の構成と実質的に同じであっても良いので、その詳細な説明は省略する。
【００３１】
又、本発明に於いて使用される当該ループピン１０及び当該ループピンシート６００の構造も上記した様に図１２或いは図１４に示される様な従来公知のループピン１０及びループピンシート６００で有っても良いので、その詳細な説明は省略する。
【００３２】
本発明に於いて使用される当該押圧部材３０は、当該それぞれのフィラメント部１２に、当該フィラメント部１２の軸方向とは異なる方向のバイアス力を与える機能を有するものである事が望ましい。
【００３３】
即ち、本発明に於ける当該押圧部材３０を図１及び図２に示す様に当該ループピン結合装置２０の上面に配置する事によって、当該ループピンシート６００を構成する相互に平行的に配列され且つ図１及び当該ループピン結合装置２０の平面図である図２（Ａ）に於ける点線で示す様に配列される複数のフィラ１２は、当該押圧部材３０と強制的に接触され、それによって湾曲状態に配列されている各フィラ２が、当該ループピン結合装置２０の幅方向に変位する様に押圧されるので、各フィラメント部１２の湾曲状部分は、通常であれば点線Ｘで示される正常な湾曲状態から実線Ｙで示される湾曲状態に変形せしめられると同時にループピンシート６００を構成する隣接する複数のフィラ１２間に捻れ状態が形成されるので、相互に隣接して配置されている他のループピン１０に於ける当該フィラメント部１２との位相がずれ、相互の粘着状態、接合状態、係合状態、絡み合い状態等が解消されるので、各ループピン１０を個別に打ち出す際に、相互に隣接している各フィラメント部１２との上記した影響を受けることなく、ジャムリ発生の危険もなくスムーズに打ち出されるので、作業効率が向上し、又、当該ループピン１０の無駄の発生や当該ループピン結合装置２０の故障の発生も少なくなるので、経済性も向上する。
【００３４】
尚、図２（Ｂ）は当該ループピン結合装置２０の正面図である。
【００３５】
又、本発明に於ける当該押圧部材３０は、当該フィラメント部１２と当接する平面部３１を有するものであってもよく、その場合には、当該ループピン結合装置２０の本体部３３の長手方向軸Ｎに対して当該平面部３１は、適宜の角度θを有して交差する方向Ｏにそって配置されている事が望ましい。
【００３６】
それによって、所定のバイアス力Ｆが当該各フィラメント部１２に印加される事になる。
【００３７】
上記した説明から明らかな様に、本発明に於ける当該押圧部材３０は、少なくともその一部が、当該に於ける当該ループピンシート６００が搭載される本体部３３の表面２７上であって、且つ当該ループピンシート６００を構成する各フィラメント部１２が本来湾曲部２８を形成する予定位置内部Ｓに配置されている事が望ましく、それによって、当該フィラメント部１２の当該正常に形成される当該湾曲部の形状Ｘを実線Ｙに示す様に、変位或いは変形させるものである。
【００３８】
つまり、本発明に於ける当該押圧部材３０は、当該ループピンシート６００を構成する各フィラメント部１２と接触して当該各フィラメント部１２を所定の方向に変位或いは変形させるバイアス力を当該フィラメント部１２に印加させる機能を有し、且つ当該ループピン結合装置２０の本体部３３の長手方向軸Ｎに対して所定の角度θをもって交差している平面部３１を有している事が望ましい。
【００３９】
本発明に於ける当該押圧部材３０の材料或いは全体的な構造に関しては特に限定されるものではないが、好ましくは金属材料或いはプラスチック材料で構成されたものであって、少なくとも、当該押圧部材３０の当該フィラメント部１２との接触部分には、上記した平面部３１が設けられる事が必要である。
【００４０】
又、本発明に於ける当該押圧部材３０の高さ、厚み、幅或いは当該ループピン結合装置２０の本体部３３の長手方向軸Ｎに対する当該平面部３１の交差角度θ等は適宜に選択して決定する事が可能である。
【００４１】
一方、本発明に於ける当該押圧部材３０に於ける当該平面部３１には、当該ループピンシート６００を構成する各フィラメント部１２との接触面積を低下させ、当該フィラメント部１２と当該押圧部材３０に於ける当該平面部３１との間に発生する接触摩擦を低減し、当該ループピン１０の当該フィラメント部１２が当該バイアス力を受けている間でもスムーズに当該平面部３１の表面を摺動する様に機能する摩擦低減機構３２が設けられている事も望ましい。
【００４２】
本発明に於ける当該押圧部材３０の当該フィラメント部との当接部に於ける当該平面部３１は、単に均一な平坦状に形成されていても良く、又場合によっては、当該平面部３１に当該フィラメント部との接触面積を低下させる機構３２は、例えば、凹部、凸部、溝部、畦部、畝部等から選択された一つ或いは複数の形状を含んで構成された面であっても良く或いは梨地状或いは微細な凹凸状模様が形成されているものであっても良い。
【００４３】
又、本発明に於ける他の具体例としては、図３に示す様に、当該押圧部材は、当該フィラメント部１２と当接する平面部を有するものでなくとも、当該フィラメント部１２と点接触しうる構成を有するものであっても良い。
【００４４】
例えば、図３（Ａ）に示す様に、当該押圧部材３０１は、当該フィラメント部１２と接触する部分が湾曲状を呈する円形、楕円形、半円形の様な点接触する事を可能とする棒状、ロッド状、薄板状のものであっても良く、又、図３（Ｂ）に示す様に、当該押圧部材３０２は、当該フィラメント部１２と接触する部分が突起状、角部状等の連続線部を有する角柱部材で構成して当該フィラメント部１２と点接触する様に構成してもので有っても良い。
【００４５】
或いは当該押圧部材は、当該ループピン結合装置２０の上部表面部２７に当該本体部３３と一体的に形成された部分の一部を利用する事も可能である。
【００４６】
又、本発明に於ける当該押圧部材３０は、当該ループピン結合装置２０の当該上部表面部２７に適宜の公知の機構を利用して、着脱自在に取り付けられる様に構成されている事も望ましい具体例である。
【００４７】
本発明に於いては、当該押圧部材３０は、当該ループピン結合装置２０に搭載される当該ループピンシート６００に応じて最適な材料で構成され、最適な形状、高さ、厚み或いは幅を有するものを使用する事が望ましく、その為、予め複数種の押圧部材３０を用意しておいて、当該使用されるループピン１０の種類に応じて適宜の押圧部材３０を選択して当該ループピン結合装置２０に搭載したり取替え操作を実行出来るようにしておくことも好ましい。
【００４８】
本発明に於いて使用される当該押圧部材３０の高さは、特に限定されるものではないが、当該押圧部材３０の高さが短かすぎると上記した効果が発揮されず、中途半端な高さであると、当該ループピン１０の打ち出し操作中に、当該ループピンシート６００の各フィラメント部１２が降下してくるので、その際に一部のフィラメント部１２当該押圧部材３０の外側にはみ出して当該ループピン１０の打ち出しが不可能となることが有りうるので、その高さは少なくとも、当該ループピン結合装置２０の表面部２７より少なくとも０．５ｃｍの高さを有している事が必要である。
【００４９】
そして、当該押圧部材３０がそれ以上の高さを必要とする場合には、図４（Ａ）及び図４（Ｂ）に示す様に、少なくとも当該押圧部材３０の上端部６７が当該ループピン結合装置２０の外方部に向かう方向に変位する様に、当該押圧部材３０全体をその外方に傾斜させるか或いは、少なくともその一部を外方に湾曲させる様に設計する事が望ましい。
【００５０】
又、当該押圧部材３０は、当該ループピン結合装置２０の当該上部表面部２７に於いて、当該ループピン結合装置２０の本体部の長手方向軸Ｎに沿った方向の任意の位置に設けられる様に変位可能に構成されている事も望ましい。
【００５１】
つまり、図５に示す様に、本発明に於ける当該押圧部材３０は、使用される当該ループピン１０の長さ、つまり当該ループピン１０を構成する当該フィラメント部１２が湾曲状に当該ループピン結合装置２０に搭載された際の当該湾曲部の長さＭの距離との関係で最適な配置位置を決めることが必要であり、その為には、当該押圧部材３０は、当該ループピン結合装置２０の当該上部表面部２７に於いて、当該ループピン結合装置２０の本体部の長手方向軸Ｎに沿った方向で複数の位置に適宜着脱自在に配置できる様に構成されている事が望ましい。
【００５２】
本発明に於いて、当該ループピン結合装置２０が、図１０の従来例に示す様に、当該本体部３３の平面部２７の後端平面部７１に側壁部７２が形成されるようなループピン結合装置２０である場合には、当該側壁部７２の位置にもよるが、別途に当該押圧部材３０を着脱自在に取り付ける代わりに、図６（Ａ）及び図６（Ｄ）に示す様に、当該側壁部７２の垂直面を当該ループピン結合装置２０の本体部３３に於ける長手方向軸Ｎに対して所定の角度θを持つ様な面部７５が形成される様に設計する事も可能である。
【００５３】
又、上記した面部７５は当該ループピン結合装置２０に於ける全幅に亘って形成しなくても良く、図６（Ｂ）及び図６（Ｄ）に示す様に、面部７５の途中から当該ループピン結合装置２０の中心軸Ｎと平行な面部７６を形成する様に構成する事も可能である。
【００５４】
更には、図６（Ｃ）及び図６（Ｅ）に示す様に、上記した側壁部７２の一部はそのまま使用し、これに上記した面部７６とを組み合わせて当該ループピン結合装置２０の上記上部表面部２７面上に角部７７を形成し、当該角部７７を当該フィラメント部１２と点接触する機能を有する押圧部材３０の一具体例として使用することも可能である。
【００５５】
かかる具体例に於いては、図６（Ｃ）に示す様に、当該角部７７の近傍で且つ当該平面部７１上に適宜の形状を有するフィラメント部案内部材７８を設けておく事も好ましい。
【００５６】
かかるフィラメント部案内部材７８は、その外周縁部の少なくとも一部は丸み状部、或いは湾曲状部が形成されている事が望ましく、これによって、当該ループピン結合装置２０の上部平面７１の上方から下降してくる各ループピンのフィラメント部１２が当該角部７７から構成押圧部材３０と確実に点接触出来る様に、円滑に移動させることが可能になる。
【００５７】
一方、本発明に使用される当該ループピン１０を含む当該ループピンシート６００は、当該ループピン結合装置２０上に搭載された際に、１態様としては、平坦状面を形成している当該ループピンシート６００の各フィラメント部分１２が折り曲げられて、湾曲状を呈する様に搭載されているものであっても良く、別の態様としては、当該ループピンシート６００は、当該ループピン結合装置２０上に搭載される以前に予め、平坦状面を形成している当該ループピンシート６００の各フィラメント部分１２を折り曲げて湾曲状を呈する様に成形されているものを使用することも可能である。
【００５８】
更に、第３の態様としては、当該ループピンシート６００は、当該ループピン結合装置２０上に搭載される以前に予め、平坦状面を形成している当該ループピンシート６００の各フィラメント部分１２を折り曲げて、当該各フィラメント部１２の両端部にある当該ソケット部１５と当該挿通部１３とが相互に接近した状態で固定され、且つ当該フィラメント部分１２が湾曲状を呈する様に予め成形されているものを搭載する様にしたものであっても良い。
【００５９】
又、第４の態様としては、当該ループピンシート６００は、当該ループピンシート６００を構成する複数本の当該フィラメント部分１２を相互に接続する２本の接続バー部２４、２４’同士が相互に接近して配置され、かつ当該双方の接続バー部は、相互に当該接続バー部の長手軸方向に位相がずれた状態で固定され、且つ当該フィラメント部分が湾曲状を呈する様に予め成形されているものを搭載するものであっても良い。
【００６０】
又、本発明に於いて使用される当該ループピン結合装置２０の１具体例としては、図１及び図３に示す様に、当該ループピン結合装置２０の上端表面２７に設けられている当該ループピンシート６００を構成する複数本の当該フィラメント部分１２を相互に接続する２本の接続バー部２４、２４’を個別に挿入する２個の接続バー部挿入スリット部４０，４１が、同一の平面２７上に設けられているものである。
【００６１】
一方、本発明に於ける当該ループピン結合装置２０の他の具体例としては、本願出願人が既に特許出願している特願２００１−１３１９６７号に示されている様な、図７（Ａ）及び図７（Ｂ）に示す当該ループピン結合装置２０の上端表面２７に設けられている当該ループピンシート６００を構成する複数本の当該フィラメント部分１２を相互に接続する２本の接続バー部２４、２４’を個別に挿入する２個の接続バー部挿入スリット部４０，４１が、互いに高さを異にする個別の平面７３、７４上にそれぞれ設けられているものであっても良い。
【００６２】
かかる具体的に於いて、多くの場合、当該ループピン結合装置２０の後部に図７に示す様に、当該ループピン結合装置２０の当該平面部７３よりも高さの高い部分７１が当該ループピン結合装置２０の後端部に形成される事が多く、上記した様に位置が固定された壁部７２が形成されているので、当該ループピンでループが形成された場合における上記長さＭが，当該接続バー部の挿入スリット４０の位置と当該壁部７２との間の距離Ｌ以下の長さを有するものしか使用できず、それ以外のループピンを使用する場合には、別の当該Ｌの寸法を有するループピン結合装置２０を使用せざるを得ないが、当該壁部７２を上記した図６（Ａ）乃至図６（Ｃ）等に示す様な押圧面７５或いは点接点部７７を形成するか、或いは当該壁部７２の前方に本発明の当該押圧部材を着脱自在或いは固定的に取り付けて使用することによって、如何なる長さを持つループピンでも同一のループピン結合装置２０を使用して当該ループピンを自由にかつ効率的に打ち出す事が可能となると共に、当該相互に隣接するフィラメント部同士の絡みも発生することなく、ジャムリのないループピン結合装置２０を得る事が可能となる。
【００６３】
又、本発明に於ける当該駆動手段２２の構成は、特に限定されるものではないが、例えば、図１に示されている様に、当該ループピン結合装置２０に設けられたグリップ部２３と当該グリップ部２３に回動可能に軸支されたグリップレバー２２とで構成されている事も望ましい具体例である。
【００６４】
尚、図９に示す様に、当該押圧部材３０の周縁部の少なくとも一部に適宜の突起部７９が設けられており、当該突起部７９が、当該ループピン結合装置２０本体部の当該表面部の少なくとも一部に設けられた適宜の孔部或いは凹陥部(図示せず)に挿入固定される事により、当該押圧部材３０は、当該ループピン結合装置２０の着脱自在に取り付けられる。
【００６５】
又、本発明に於ける当該押圧部材３０の少なくとも一部の端縁部８０に丸み部８１が設けられているものであっても良く、更には、当該押圧部材３０の少なくとも一部の端縁部８０には、当該端縁部８０から当該押圧部材３０の内部に向けてその厚みが増加する様なテーパー部８２が形成されている事も望ましい。
【００６６】
本発明に於ける更に他の具体例としては、図７に示す具体例の更に改良された具体例の構成を図１０及び図１１に示す。
【００６７】
本具体例に於いては、図７に示されている構成を有するループピン結合装置２０に図６（Ｃ）に示された押圧部材３０の一構成例である当該押圧部材３０として角部７７で構成された点接触形式の押圧部材と当該フィラメント案内部材７８とを導入した構造を有するものである。
【００６８】
本具体例に於ける特徴としては、当該押圧部材３０における当該角部７７の下端部８５は、当該第２の打ち出しピンが摺動する平面に近接した位置８６まで延展せしめられているものであり、これによって、当該ループピン１０に於けるフィラメント部１２の内で当該挿通部１３に繋がるフィラメント部の一部が当該当該第２の打ち出しピンが摺動する平面と略平行な状態で当該挿通部が打ち出される位置まで案内される様に設定する事が可能となり、図１１に示す様に、当該挿通部１３を打ち出す際にフィラメント部の乱れが少なくなるので打ち出し不良及びそれによって発生するジャムリ現象が防止出来る。
【００６９】
更に、本具体例に於いては、当該押圧部材３０を構成する当該角部７７に点接触して当該ループピン結合装置２０の外方変位せしめられた当該フィラメント部１２を安定的に支持し且つ当該角部７７と接触した後の当該フィラメント部１２が、当該第２の打ち出しピン４２が摺動する平面８６と略平行な状態で当該挿通部１３が打ち出される位置まで案内される様に案内する機能を有するガイド部８７が当該角部７７の下端部８５の近傍に設けられている事も望ましい。
【００７０】
当該角部の下端部の近傍に設けられるガイド部８７は、テーパー状の面で構成されている事が望ましい。
【００７１】
本発明に於ける更に他の具体的な態様としては、フィラメント部、当該フィラメント部の一端部に設けられた挿通部及び当該フィラメント部の他端部に設けられた当該挿通部を不可逆的に挿通保持せしめるソケット部とを有するループピンを適宜の商品に係止させるための結合装置であって、当該複数個のループピンが平面状に配列されて固定されて形成されているループピンシートを当該結合装置に搭載し、当該装置の本体部に設けられている適宜の駆動手段の作動に応答して移動する第１の打ち出しピンにより当該ループピンのソケット部を移動させると共に、当該駆動手段の作動に応答して移動する第２の打ち出しピンにより当該ループピンの挿通部を移動させることによって、当該装置の本体部の前方部に於いて、当該ソケット部と当該挿通部とを相互に係合させる様に構成されているループピン結合装置を使用して当該個々のループピンを打ち出すに際し、当該ループピン結合装置の本体部の一部表面に於いて、当該ループピン結合装置の当該表面に湾曲状に搭載されている当該ループピンシートを構成する各々のループピンの湾曲状に形成された各フィラメント部に、当該フィラメント部を変位させるためのバイアス力を印加する様に構成されたループピン結合方法である。
【００７２】
本発明に於けるループピン結合方法に於いて、当該バイアス力は、当該それぞれのフィラメント部に、当該フィラメント部の軸方向とは異なる方向の力を与えるものである事が望ましい。
【００７３】
更に、本発明に於いては、当該押圧部材バイアス力は、当該ループピン結合装置本体部の長手方向軸に対して交差する方向の力を当該各フィラメント部に印加するものである事も望ましい。
【産業上の利用可能性】
【００７４】
本発明は、ループピンを使用して当該ループピンを結合するループピン結合装置に使用する事が可能であり、それによって、当該ループピン結合装置２０に於いて当該ループピンシートにおける各ループピンが湾曲状態で当該ループピン結合装置に搭載されて打ち出し操作が実行される場合でも、当該各ループピンの当該フィラメント部が容易に且つ自由にその位置が変位、変動しない様な状態に保持することによって、上記したフィラメント間の絡み、接触固定等により発生するジャムリ現象を効果的に防止する事が可能なであると同時に、当該フィラメント部の長さが異なる異種のループピンでも同一のループピン結合装置を使用して問題なく打ち出し操作が実行出来るループピン結合装置が容易に得られると言う効果を有するものである。
【図面の簡単な説明】
【００７５】
【図１】図１は、本発明に係るループピン結合装置の一具体例の構成を示す図である。
【図２】図２（Ａ）は、本発明に係るループピン結合装置の平面図であり図２（Ｂ）は、本発明に係るループピン結合装置の正面図である。
【図３】図３は、本発明に於いて使用されるループピン結合装置の平面図である。
【図４】図４は、本発明に於いて使用される押圧部材の配置形状を示すループピン結合装置の平面図である。
【図５】図５は、本発明に於いて使用されるループピン結合装置の他の具体例を示す平面図である。
【図６】図６（Ａ）乃至図６（Ｅ）は、本発明に於いて使用されるループピン結合装置の押圧部材の具体例を示す斜視図である。
【図７】図７は、本発明に於いて使用されるループピン結合装置の他の具体例の構成を示す図である。
【図８】図８は、本発明に於いて使用されるループピン結合装置の平面図である。
【図９】図９は、本発明に於ける押圧部材の他の具体例を示す図である。
【図１０】図１０は、本発明に於いて使用されるループピン結合装置の別の具体例の構成を示す斜視図である。
【図１１】図１１は、図１０に示すループピン結合装置の側面図である。
【図１２】図１２は、本発明に於いて使用されるループピンの一具体例の構成を示す図である。
【図１３】図１３は、図１２のループピンの使用状態を説明する図である。
【図１４】図１４は、本発明に於ける図１２のループピンを連結したループピン群の構成例を示す図である。
【図１５】図１５は、従来に於けるループピン結合装置の構成を示す図である。
【図１６】図１６は、図１５に示す従来のループピン結合装置の平面図である。
【符号の説明】
【００７６】
１０…ループピン
１２…フィラメント部
１３…挿通部
１４…孔部
１５…ソケット部
２０…ループピン結合装置
２１…第２の中空ガイド部先端部
２２…レバー部、駆動手段
２３…握り部
２４、２４’…接続バー部
２５…第１の打ち出しピン
２７…本体部の上部表面
２８…湾曲部
３０…押圧部材
３１…平面部
３２…摩擦低減機構
３３…本体部
４０、４１…接続バー部挿入スリット部
４２…第２の打ち出しピン
４３…第１の中空ガイド部、湾曲状案内管
４４…第１の中空ガイド部の先端部
４７…第１の端部
６７…押圧部材の上端部
７１…後端平面部
７２…側壁部
７４…平面
７５…面部
７７…角部
７８…フィラメント部案内部材
７９…突起部
８０…押圧部材端縁部
８１…丸み部
８２…テーパー部
８５…角部の下端部
８６…第２の打ち出しピン摺動平面
８７…ガイド部
９０…本体部側のネジ孔
２００…商品
３００…商品の一部
４００…ラベル、タグ
６００…ループピンシート
【図１】
0004638156.tif 000002
【図２】
0004638156.tif 000003
【図３】
0004638156.tif 000004
【図４】
0004638156.tif 000005
【図５】
0004638156.tif 000006
【図６】
0004638156.tif 000007
【図７】
0004638156.tif 000008
【図８】
0004638156.tif 000009
【図９】
0004638156.tif 000010
【図１０】
0004638156.tif 000011
【図１１】
0004638156.tif 000012
【図１２】
0004638156.tif 000013
【図１３】
0004638156.tif 000014
【図１４】
0004638156.tif 000015
【図１５】
0004638156.tif 000016
【図１６】
0004638156.tif 000017